(57)【要約】【課題】  画像データ作成方法および装置において、同一領域を共有する複数の画像部分を示す画像データ群を合成して１つの画像を示す画像データを作成する際に生じる画像品質の低下を抑制する。【解決手段】  同一領域Ｒ１を共有する複数の画像部分Ｇａ１、Ｇｂ１のそれぞれを示す各画像データ群Ｄａ１、Ｄｂ１を用意し、所定の画像データ群Ｇａ１中の同一領域Ｒ１を示す画像データの代表値Ｐａ１を補正した値が、他の画像データ群Ｇｂ１中の同一領域Ｒ１を示す画像データの代表値Ｐｂ１に一致するように、所定の画像データ群Ｇａ１の全画像データＤａ１のそれぞれを一律に補正する補正処理を施して、この補正後の所定の画像データ群Ｄａ１′と他の画像データ群Ｇｂ１とを合成して１つの合成画像ＧＧ１を示す画像データを作成する。【選択図】          図２
2005079816.tif 000002
【特許請求の範囲】
【請求項１】
同一領域を共有する複数の画像部分のそれぞれを示す各画像データ群を合成して１つの合成画像を示す画像データを作成する画像データ作成方法であって、
所定の１つ以上の画像データ群中の前記同一領域を示す画像データの代表値をそれぞれ補正した値が、他の１つの画像データ群中の該同一領域を示す画像データの代表値に一致するように、前記各所定の画像データ群毎に全画像データを一律に補正する補正処理を施して、この補正後の前記所定の画像データ群を使用して前記合成画像を示す画像データを作成することを特徴とする画像データ作成方法。
【請求項２】
同一領域を共有する複数の画像部分のそれぞれを示す各画像データ群を合成して１つの合成画像を示す画像データを作成する画像データ合成手段を備えた画像データ作成装置であって、
各画像データ群中の前記同一領域を示す画像データの代表値を求める代表値演算手段と、所定の１つ以上の画像データ群中の前記同一領域を示す画像データの代表値をそれぞれ補正した値が、他の１つの画像データ群中の該同一領域を示す画像データの代表値に一致するように、前記各所定の画像データ群毎に全画像データを一律に補正する補正手段とを備え、
前記画像データ合成手段が、前記補正後の前記所定の画像データ群を使用して前記合成画像を示す画像データを作成することを特徴とする画像データ作成装置。
【請求項３】
前記代表値が、前記画像データ群中の同一領域における各画像データの平均値、メディアン値、またはヒストグラムに基づいて定められた値であることを特徴とする請求項２記載の画像データ作成装置。
【請求項４】
前記補正が、前記所定の画像データ群における代表値に対する前記他の１つの画像データ群における代表値の比率を、該所定の画像データ群の全画像データのそれぞれに乗算するものであることを特徴とする請求項２または３記載の画像データ作成装置。
【請求項５】
前記補正が、前記他の１つの画像データ群における代表値から前記所定の画像データ群における代表値を差し引いた値を、該所定の画像データ群の全画像データのそれぞれに加算するものであることを特徴とする請求項２または３記載の画像データ作成装置。
【請求項６】
前記補正が、前記所定の画像データ群中の該補正の対象となる画像データの値が前記所定の画像データ群における代表値より小さいときに、前記所定の画像データ群における前記代表値に対する他の１つの画像データ群における前記代表値の比率を該補正の対象となる画像データに乗算し、
前記所定の画像データ群中の該補正の対象となる画像データの値が前記所定の画像データ群における前記代表値以上となるときに、他の１つの画像データ群における前記代表値から前記所定の画像データ群における前記代表値を差し引いた値を該補正の対象となる画像データに加算するものであることを特徴とする請求項２または３記載の画像データ作成装置。
【請求項７】
前記画像データ群が、複数のラインセンサを、該ラインセンサそれぞれの端部に位置する受光部が画像担持体の同一領域から発せられた光を重複検出するように、各ラインセンサの長手方向が主走査方向を向くように並べて構成したライン検出手段に対して前記画像担持体を前記主走査方向と交わる副走査方向に相対的に移動させながら、該画像担持体から発せられた光を前記ライン検出手段で検出してこの画像担持体が担持する画像情報を示す画像データが得られたときの、各ラインセンサ毎に取得されたそれぞれの画像データであることを特徴とする請求項２から６のいずれか１項記載の画像データ作成装置。
【請求項８】
前記画像データ群が、前記画像担持体中の前記主走査方向に延びる線状の領域において該画像担持体の担持する画像情報を示す画像データであることを特徴とする請求項７記載の画像データ作成装置。
【請求項９】
前記画像データ群が、前記画像担持体中の前記主走査方向に1列に並ぶ画素領域が担持する画像情報を示す画像データであることを特徴とする請求項７記載の画像データ作成装置。
【発明の詳細な説明】
【技術分野】
【０００１】
本発明は、画像データ作成方法および装置に関し、同一領域を共有する複数の画像部分それぞれを示す複数の画像データを合成して１つの画像を示す画像データを作成する画像データ作成方法および装置に関するものである。
【背景技術】
【０００２】
従来より、主走査方向に線状に並べられた多数の受光部を有するラインセンサからなるライン検出部を原稿上に副走査方向へ移動させることにより、この原稿を読み取る装置が知られている。このような装置で大判の原稿を読み取るには長尺のラインセンサを備えた幅広のライン検出部が使用されるが、継ぎ目の無い長尺のラインセンサは製造上の都合により実現が難しいので、複数のラインセンサを互いの端部の検出範囲が重なるように主走査方向に並べて、全体として１本の長尺のラインセンサとしての機能を果たすように構成したライン検出手段が用いられている。
【０００３】
このように構成したライン検出手段で大判原稿を読み取る場合には、各ラインセンサの端部に位置するそれぞれの受光部において上記大判原稿上の同一位置から発せられる光を重複して検出して、各ラインセンサ毎に、大判原稿中の上記同一位置を共有する画像部分を示す画像データ（画像データ群ともいう）を取得し、これらの画像データ群を合成してこの大判原稿の全体を示す画像データを作成している。
【０００４】
上記画像データ群を合成して大判原稿の全体を示す画像データを作成する手法としては、例えば、副走査方向に検出範囲が互いに重なる各ラインセンサの端部に位置する受光部によって検出された上記大判原稿上の同一位置を示す複数の画像データに対して、ラインセンサのより端に位置する受光部から取得された画像データほど重み付けを小さくする加重平均処理を施して各位置毎に１つの画像データを得、これらの画像データを用いて上記大判原稿の全体を示す画像データを作成する手法が知られている（例えば、特許文献１、および特許文献２参照）。
【特許文献１】特開２００２−５７８６０号公報
【特許文献２】米国特許第６，３４８，９８１号明細書
【発明の開示】
【発明が解決しようとする課題】
【０００５】
しかしながら、上記ライン検出手段を構成する各ラインセンサ毎に感度が互いに異なる場合には、上記感度の違いの影響を受けた各ラインセンサ毎に取得された画像データ群は、各画像データ群毎に特定の傾向を持つものとなり、上記のように各画像データ群の接続部分に加重平均処理を施して上記副走査方向に延びる帯状の領域が目立たないようにしても、各画像データ群中の上記加重平均処理が施されていない領域を示す画像データに対しては何の処理も施されていないので、これらの画像データが示す各領域に上記特定の傾向がそのまま現れて、各領域における画像の質感が互いに異なるものとなることがあるので上記大判原稿を表す画像全体としての品質が低下する虞がある。
【０００６】
本発明は上記事情に鑑みてなされたものであり、同一領域を共有する複数の画像部分を示す画像データ群を合成して１つの画像を示す画像データを作成する際に生じる画像品質の低下を抑制することができる画像データ作成方法および装置を提供することを目的とするものである。
【課題を解決するための手段】
【０００７】
本発明の画像データ作成方法は、同一領域を共有する複数の画像部分のそれぞれを示す各画像データ群を合成して１つの合成画像を示す画像データを作成する画像データ作成方法であって、所定の１つ以上の画像データ群中の前記同一領域を示す画像データの代表値をそれぞれ補正した値が、他の１つの画像データ群中の該同一領域を示す画像データの代表値に一致するように、前記各所定の画像データ群毎に全画像データを一律に補正する補正処理を施して、この補正後の前記所定の画像データ群を使用して前記合成画像を示す画像データを作成することを特徴とするものである。
【０００８】
本発明の画像データ作成装置は、同一領域を共有する複数の画像部分のそれぞれを示す各画像データ群を合成して１つの合成画像を示す画像データを作成する画像データ合成手段を備えた画像データ作成装置であって、各画像データ群中の前記同一領域を示す画像データの代表値を求める代表値演算手段と、所定の１つ以上の画像データ群中の前記同一領域を示す画像データの代表値をそれぞれ補正した値が、他の１つの画像データ群中の該同一領域を示す画像データの代表値に一致するように、前記各所定の画像データ群毎に全画像データを一律に補正する補正手段とを備え、前記画像データ合成手段が、前記補正後の前記所定の画像データ群を使用して合成画像を示す画像データを作成することを特徴とするものである。
【０００９】
前記「所定の画像データ群毎に全画像データを一律に補正する」とは、所定の画像データ群を構成する各画像データの示す位置にかかわりなく、各画像データに対して同一の補正ルールによる処理を施すことを意味し、上記同一の補正ルールは、例えば、画像データの値に応じて、各画像データに対する補正の演算内容を変更するように定めたもの等であってもよい。
【００１０】
前記代表値は、画像データ群中の同一領域における各画像データの平均値、メディアン値、またはヒストグラムに基づいて定められた値とすることができる。
【００１１】
前記補正は、所定の画像データ群における代表値に対する他の１つの画像データ群における代表値の比率を、この所定の画像データ群の全画像データのそれぞれに乗算するものとしたり、または、他の１つの画像データ群における代表値から所定の画像データ群における代表値を差し引いた値を、この所定の画像データ群の全画像データのそれぞれに加算するものとしたり、あるいは、所定の画像データ群中のこの補正の対象となる画像データの値がこの所定の画像データ群における代表値より小さいときに、前記所定の画像データ群における代表値に対する他の１つの画像データ群における代表値の比率をこの補正の対象となる画像データに乗算し、記所定の画像データ群中のこの補正の対象となる画像データの値がこの所定の画像データ群における代表値以上となるときに、他の１つの画像データ群における代表値から前記所定の画像データ群における代表値を差し引いた値をこの補正の対象となる画像データに加算するものとすることができる。
【００１２】
前記画像データ群は、複数のラインセンサを、該ラインセンサそれぞれの端部に位置する受光部が画像担持体の同一領域から発せられた光を重複検出するように、各ラインセンサの長手方向が主走査方向を向くように並べて構成したライン検出手段に対して画像担持体を主走査方向と交わる副走査方向に相対的に移動させながら、この画像担持体から発せられた光をライン検出手段で検出してこの画像担持体が担持する画像情報を示す画像データが得られたときの、各ラインセンサ毎に取得されたそれぞれの画像データとすることができる。
【００１３】
前記画像データ群は、画像担持体中の主走査方向に延びる線状の領域においてこの画像担持体の担持する画像情報を示す画像データとすることができる。また、前記画像データ群は、画像担持体中の主走査方向に1列に並ぶ画素領域が担持する画像情報を示す画像データとすることもできる。なお、１つの前記画素領域が担持する画像情報は１つの画像データが示す画像情報に対応するものである。
【発明の効果】
【００１４】
本発明の画像データ作成方法および装置によれば、所定の１つ以上の画像データ群中の上記同一領域を示す画像データの代表値を補正した値が、他の１つの画像データ群中の該同一領域を示す画像データの代表値に一致するように、上記各所定の画像データ群毎に全画像データを一律に補正する補正処理を施して、この補正後の上記所定の画像データ群を使用して上記合成画像を示す画像データを作成するようにしたので、各画像データ群毎の上記特定の傾向を示す主要成分について互いの差が小さくなるように各画像データ群を補正することができ、各画像データ群によって表される画像の互いの質感の差を小さくすることができるので、画像全体としての品質の低下を抑制することができ、各画像データ群を合成して１つの画像を示す画像データを作成する際に生じる画像品質の低下を抑制することができる。
【００１５】
前記代表値を、同一領域における各画像データの平均値、メディアン値、またはヒストグラムに基づいて定められた値とすれば、上記代表値を容易に求めることができる。
【００１６】
前記補正を、所定の画像データ群における代表値に対する他の１つの画像データ群における代表値の比率を、この所定の画像データ群の全画像データのそれぞれに乗算するものとしたり、または、他の１つの画像データ群における代表値から所定の画像データ群における代表値を差し引いた値を、この所定の画像データ群の全画像データのそれぞれに加算するものとしたり、あるいは、所定の画像データ群中の上記補正の対象となる画像データの値が上記所定の画像データ群における代表値より小さいときに、所定の画像データ群における代表値に対する他の１つの画像データ群における代表値の比率を上記補正の対象となる画像データに乗算し、所定の画像データ群中のこの補正の対象となる画像データの値が上記所定の画像データ群における代表値以上のときに、他の１つの画像データ群における代表値からこの所定の画像データ群における代表値を差し引いた値を上記補正の対象となる画像データに加算するものとすれば、上記補正処理をより確実に実施することができる。
【００１７】
前記画像データ群を、複数のラインセンサを、該ラインセンサそれぞれの端部に位置する受光部が画像担持体の同一領域から発せられた光を重複検出するように、各ラインセンサの長手方向が主走査方向を向くように並べて構成したライン検出手段に対して画像担持体を主走査方向と交わる副走査方向に相対的に移動させながら、この画像担持体から発せられた光を上記ライン検出手段で検出してこの画像担持体が担持する画像情報を示す画像データが得られたときの、各ラインセンサ毎に取得された画像データとすれば、上記同一領域、および各画像データ群が示すそれぞれの領域は、上記画像担持体中の副走査方向に延びる帯状の領域となり、上記画像データ群毎の特定の傾向による互いの質感の差がより明確に現れるので、上記補正を施すことにより上記各画像データ群を合成して１つの画像を示す画像データを作成する際に生じる画像品質の低下を抑制する顕著な効果を得ることができる。
【００１８】
前記画像データ群を、画像担持体中の主走査方向に延びる線状の領域において上記画像担持体の担持する画像情報を示す画像データからなるものとしたり、あるいは、画像担持体中の主走査方向に1列に並ぶ各画素領域が担持する画像情報を示す画像データからなるものとすれば、画像担持体が担持している画像中のより小さな領域に対して上記補正を施することができるので、上記各画像データ群を合成して１つの画像を示す画像データを作成する際に生じる画像品質の低下をより確実に抑制することができる。
【発明を実施するための最良の形態】
【００１９】
以下、本発明の実施の形態について、図面を用いて説明する。図１は本発明の実施の形態の画像データ作成装置の概略構成を示すブロック図、図２は同一領域を共有する複数の画像部分を示す各画像データ群を合成して１つの合成画像を示す画像データを作成する様子を示す図、図３は全体画像を３分割した各領域が同一領域を共有する複数の画像部分となる場合を示す図、図４は５つの画像部分のそれぞれを示す各画像データ群を合成して１つの合成画像を示す画像データを作成する場合を示す図である。
【００２０】
図示の画像データ作成装置２００は、同一領域Ｒ１を共有する複数の画像部分Ｇａ１、Ｇｂ１のそれぞれを示す各画像データ群Ｄａ１、Ｄｂ１を記憶している画像メモリ１５０と、各画像データ群Ｄａ１、Ｄｂ１における同一領域Ｒ１を示す画像データの各代表値Ｐａ１、Ｐｂ１を求める代表値演算手段１２０と、所定の画像データ群である画像データ群Ｄａ１中の同一領域Ｒ１を示す画像データの代表値Ｐａ１を補正した値が、他の１つの画像データ群Ｄｂ１中の同一領域Ｒ１を示す画像データの代表値Ｐｂ１に一致するように、所定の画像データ群Ｄａ１の全画像データを一律に補正する補正手段１３０と、上記補正後の所定の画像データ群Ｄａ１′の画像データ、および画像データ群Ｄｂ２の画像データを使用して１つの合成画像ＧＧ１を示す画像データを作成する画像データ合成手段１１０とを備えている。
【００２１】
代表値演算手段１２０は、各画像データ群Ｄａ１、Ｄｂ１中の同一領域Ｒ１における各画像データの代表値として、例えば、平均値、メディアン値、またはヒストグラムに基づいて得られた出現回数が最多となる値を代表値として定める。
【００２２】
なお、画像メモリ１５０は、上記画像部分Ｇａ１、Ｇｂ１を含む全体画像Ｇｏを示す画像データＤｏを記憶しており、図３に示すように、全体画像Ｇｏは、この全体画像Ｇｏを縦方向（副走査方向ともいう）に３分割して得た横方向（主走査方向ともいう）に延びる横領域Ｈ１、Ｈ２、Ｈ３からなる。横領域Ｈ１は上記同一領域Ｒ１を共有する複数の画像部分Ｇａ１、Ｇｂ１からなり、横領域Ｈ２は同一領域Ｒ２を共有する複数の画像部分Ｇａ２、Ｇｂ２からなり、横領域Ｈ３は同一領域Ｒ３を共有する複数の画像部分Ｇａ３、Ｇｂ３からなる。また、上記画像メモリ１５０が記憶している上記画像データＤｏは、画像部分Ｇａ１、Ｇｂ１のそれぞれを示す各画像データ群Ｄａ１、Ｄｂ１、画像部分Ｇａ２、Ｇｂ２のそれぞれを示す各画像データ群Ｄａ２、Ｄｂ２、画像部分Ｇａ３、Ｇｂ３のそれぞれを示す各画像データ群Ｄａ３、Ｄｂ３である。
【００２３】
以下、画像データ作成装置２００で実施する画像データ作成の処理について以下に説明する。
【００２４】
始めに、代表値演算手段１２０が、画像メモリ１５０から横領域Ｈ１を示す画像データ群Ｄａ１、Ｄｂ１を入力し、画像データ群Ｄ１中の同一領域Ｒ１における全画像データの平均値を求めこの平均値を代表値Ｐａ１とするとともに、画像データ群Ｄｂ１中の同一領域Ｒ１における全画像データの平均値を求めこの平均値を代表値Ｐｂ１とする。
【００２５】
次に、補正手段１３０が、所定の画像データ群Ｄａ１を入力し、上記代表値Ｐａ１を補正した値が、代表値Ｐｂ１に一致するように、上記所定の画像データ群Ｄａ１の全画像データのそれぞれを一律に補正する。すなわち、画像データ群Ｄａ１を構成する各画像データＤａ１（Ｘｉ、Ｙｊ）の示す位置にかかわりなく、各画像データＤａ１（Ｘｉ、Ｙｊ）に対して同じ処理を施して補正する。より具体的には、例えば、所定の画像データ群Ｄａ１における代表値Ｐａ１に対する他の画像データ群Ｄｂ１における代表値Ｐｂ１の比率を、所定の画像データ群Ｄａ１の全画像データのそれぞれに乗算して補正し、補正された所定の画像データ群Ｄａ１′を得る。この補正された所定の画像データ群Ｄａ１′の各画像データＤａ１′（Ｘｉ、Ｙｊ）は、Ｄａ１′（Ｘｉ、Ｙｊ）＝Ｄａ１（Ｘｉ、Ｙｊ）×（Ｐｂ１／Ｐａ１）の式で算出されたものとなる。
【００２６】
次に、画像データ合成手段１１０が、画像データ群Ｄａ１を補正した後の画像データ群Ｄａ１′の画像データＤａ１′（Ｘｉ、Ｙｊ）および画像データ群Ｄｂ２の画像データＤｂ１（Ｘｉ、Ｙｊ）を使用して１つの合成画像ＧＧ１を示す画像データを作成する。
【００２７】
より具体的には、画像部分Ｇａ１中の同一領域Ｒ１以外の領域を示す画像データとして画像データＤａ１′（Ｘｉ、Ｙｊ）を採用し、画像部分Ｇｂ１中の同一領域Ｒ１以外の領域を示す画像データとして画像データＤｂ１（Ｘｉ、Ｙｊ）を採用し、同一領域Ｒ１を示す画像データＤｒ１としては、例えば、画像データＤａ１′（Ｘｉ、Ｙｊ）と画像データＤｂ１（Ｘｉ、Ｙｊ）との平均値を採用する。すなわち、上記平均値を採用して得られた画像データＤｒ１は、画像データＤｒ１＝（画像データＤａ１′（Ｘｉ、Ｙｊ）＋画像データＤｂ１（Ｘｉ、Ｙｊ））／２の式によって求められる。これにより、上記横領域Ｈ１に対応する１つの合成画像ＧＧ１を示す画像データが作成され、この合成画像ＧＧ１を示す画像データは画像データ合成手段１１０に記憶される。
【００２８】
次に、横領域Ｈ２を示す画像データ群Ｄａ２、Ｄｂ２に対して上記と同様の処理を施して、横領域Ｈ２に対応する１つの合成画像ＧＧ２を示す画像データが作成されると共に、横領域Ｈ３を示す画像データ群Ｄａ３、Ｄｂ３に対しても上記と同様の処理を施して、横領域Ｈ３に対応する１つの合成画像ＧＧ３を示す画像データが作成され、これらの合成画像ＧＧ２、ＧＧ３を示す各画像データは画像データ合成手段１１０に記憶される。
【００２９】
上記、画像データ合成手段１１０に記憶された、合成画像ＧＧ１、ＧＧ２、およびＧＧ３を示す各画像データは、画像データ合成手段１１０において、さらに合成されて全体画像Ｇｏを示す画像データＤｏ′が作成される。
【００３０】
ここで、上記横領域Ｈ１が、図４（ａ）に示すように、５つの画像部分から構成されている場合に、同一領域を共有する複数の画像部分のそれぞれを示す各画像データ群を合成して横領域Ｈ１に対応する１つの合成画像を示す画像データを作成する場合について説明する。なお、横領域Ｈ１を構成する画像部分は、画像部分Ｕａ１、Ｕｂ１、Ｕｃ１、Ｕｄ１、およびＵｅ１であり、画像部分Ｕａ１、Ｕｂ１が同一領域Ｒａ１を共有し、画像部分Ｕｂ１、Ｕｃ１が同一領域Ｒｂ１を共有し、画像部分Ｕｃ１、Ｕｄ１が同一領域Ｒｃ１を共有し、画像部分Ｕｄ１、Ｕｅ１が同一領域Ｒｄ１を共有している。上記画像部分Ｕａ１、Ｕｂ１、Ｕｃ１、Ｕｄ１、およびＵｅ１を示すそれぞれの画像データ群は画像データ群Ｅａ１１、Ｅｂ１１、Ｅｃ１１、Ｅｄ１１およびＥｅ１１とする。
【００３１】
始めに、基準とする画像データ群を定める。ここでは，画像部分Ｕｃ１の画像データ群Ｅｃ１１を基準とし上記合成画像を示す画像データを作成する。そして、注目する同一領域を同一領域Ｒｂ１に定め、図４（ｂ）に示すように、同一領域Ｒｂ１を共有する画像部分Ｕｂ１を示す所定の画像データ群Ｅｂ１１と、画像部分Ｕｃ１を示す他の１つの画像データ群Ｅｃ１１とを画像メモリ１５０から呼出して、これらの画像データ群を上記と同様の手法により合成して１つの合成画像である部分画像Ｕｂｃ１を示す画像データ群Ｅｂｃ１を作成する。その後、作成された画像データ群Ｅｂｃ１は画像メモリ１５０に記憶される。
【００３２】
なお、画像データＥｂｃ１は、所定の画像データ群Ｅｂ１１の全画像データのそれぞれを一律に補正した画像データ群Ｅｂ１２と、上記画像データ群Ｅｃ１１とに基づいて構成されている。また、画像データ群Ｅｂ１２と画像データ群Ｅｃ１１とが共有する同一領域Ｒｂ１を示す画像データＥｂｃ１中の画像データも上記と同様の手法により処理されている。
【００３３】
次に、注目する同一領域をＲｃ１に定め、図４（ｃ）に示すように、同一領域Ｒｃ１を共有する画像部分Ｕｄ１を示す所定の画像データ群Ｅｄ１１と、画像部分Ｕｂｃ１を示す他の１つの画像データ群Ｅｂｃ１とを画像メモリ１５０から呼出して、これらの画像データ群を上記と同様の手法により合成して１つの合成画像である部分画像Ｕｂｄ１を示す画像データ群Ｅｂｄ１を作成する。その後、作成された画像データ群Ｅｂｄ１は画像メモリ１５０に記憶される。
【００３４】
なお、画像データＥｂｄ１は、所定の画像データ群Ｅｄ１１の全画像データのそれぞれを一律に補正した画像データ群Ｅｄ１２と、上記画像データ群Ｅｂｃ１とに基づいて構成されている。また、画像データ群Ｅｄ１２と画像データ群Ｅｂｃ１とが共有する同一領域Ｒｃ１を示す画像データも上記と同様の手法により処理されている。
【００３５】
つづいて、注目する同一領域を同一領域Ｒａ１に定め、図４（ｄ）に示すように、同一領域Ｒａ１を共有する画像部分Ｕａ１を示す所定の画像データ群Ｅａ１１と、画像部分Ｕｂｄ１を示す他の１つの画像データ群Ｅｂｄ１とを画像メモリ１５０から呼出して、これらの画像データ群を上記と同様の手法により合成して１つの合成画像である部分画像Ｕａｄ１を示す画像データ群Ｅａｄ１を作成する。その後、作成された画像データ群Ｅａｄ１は画像メモリ１５０に記憶される。
【００３６】
なお、画像データＥａｄ１は、所定の画像データ群Ｅａ１１の全画像データのそれぞれを一律に補正した画像データ群Ｅａ１２と、上記画像データ群Ｅｂｄ１とに基づいて構成されている。また、画像データ群Ｅａ１２と画像データ群Ｅｂｄ１とが共有する同一領域Ｒａ１を示す画像データＥａｄ１中の画像データも上記と同様の手法により処理されている。
【００３７】
最後に、注目する同一領域を同一領域Ｒｄ１に定め、図４（ｅ）に示すように、同一領域Ｒｄ１を共有する画像部分Ｕｅ１を示す所定の画像データ群Ｅｅ１１と、画像部分Ｕａｄ１を示す他の１つの画像データ群Ｅａｄ１とを画像メモリ１５０から呼出して、これらの画像データ群を上記と同様の手法により合成して画像データ群Ｅａｅ１を作成する。この画像データ群Ｅａｅ１が上記横領域Ｈ１に対応する１つの合成画像を示す画像データとなる。なお、上記基準となる画像部分Ｕｃ１から同一領域Ｒｂ１およびＲｃ１を除いた画像部分を示す画像データの値は、上記処理の前後で変化しない。
【００３８】
なお、補正手段１３０による補正は、所定の画像データ群における代表値に対する他の１つの画像データ群における代表値の比率（比率補正係数ともいう）を、この所定の画像データ群の全画像データのそれぞれに乗算する場合に限らず、他の１つの画像データ群における代表値から所定の画像データ群における代表値を差し引いた値（加算補正係数ともいう）を、この所定の画像データ群の全画像データのそれぞれに加算するものとしてもよい。
【００３９】
さらに、上記補正手段１３０による補正は、所定の画像データ群中の補正の対象となる画像データの値がこの所定の画像データ群における代表値より小さいときに、所定の画像データ群における代表値に対する他の１つの画像データ群における代表値の比率（比率補正係数）を上記補正の対象となる画像データに乗算し、上記所定の画像データ群中の補正の対象となる画像データの値がこの所定の画像データ群における代表値以上のときに、他の１つの画像データ群における代表値から上記所定の画像データ群における代表値を差し引いた値（加算補正係数）を上記補正の対象となる画像データに加算するという、各画像データの示す位置にかかわらない同一の補正ルールに基づいて実施することもできる。例えば、所定の画像データ群における同一領域を示す画像データの代表値をこの画像データ群の画像データ値を示すヒストグラムに基づいて定め、例えば、図５に示すように上記同一領域を示す画像データ値の出現回数が最も多い値Ｋｘを上記代表値とする場合には、値Ｋｘより小さな値を持つ画像データ（図中Ｔｓで示す）には上記乗算による補正（比率補正係数による補正）を施し、値Ｋｘ以上の値を持つ画像データ（図中Ｔｂで示す）には上記加算による補正（加算補正係数による補正）を施すようにし、これにより、比較的小さな値を持つ画像データ、あるいは比較的大きな値を持つ画像データが、基の画像データに対して極端に大きな値に補正されることを抑制することができる。また、比較的大きな値を持つ画像データが、さらに大きな値に補正されることを抑制するために、閾値以上の値を持つ画像データには補正を施さないようにしてもよい。
【００４０】
以下、上記画像データ群が、複数のラインセンサを、これらのラインセンサそれぞれの端部に位置する受光部が画像担持体の同一領域から発せられた光を重複検出するように、各ラインセンサの長手方向が主走査方向を向くように並べて構成したライン検出手段に対して画像担持体を主走査方向と直交する副走査方向に相対的に移動させながら、上記画像担持体から発せられた光を上記ライン検出手段で検出してこの画像担持体が担持する画像情報を示す画像データが得られたときの、各ラインセンサ毎に取得されたそれぞれの画像データであり、上記画像データ群が、画像担持体中の主走査方向に延びる線状の領域を示す画像データである場合について説明する。より具体的には、上記画像データ群が、画像担持体中の主走査方向に1列に並ぶ各画素領域（１ラインの領域ともいう）が担持する画像情報を示す画像データである場合について説明する。なお、１つの上記画素が担持する画像情報は１つの画像データが示す画像情報に対応するものである。また、上記画像データ群は後述する画像読取装置によって読み取られる。この画像読取装置は、上記画像データ作成装置を搭載し、画像担持体が担持する画像情報を読み取って上記画像データ群を取得するとともにこの画像データ群を合成して１つの合成画像を示す画像データを作成するものである。図６は画像データ作成装置を搭載した画像読取装置の概略構成を示す斜視図である。
【００４１】
図６に示すように、上記画像読取装置１００は、複数のラインセンサである線状に並べられた多数の受光部を有するラインセンサ１０Ａ、１０Ｂを、これらのラインセンサ１０Ａ、１０Ｂそれぞれの端部１１Ａ、１１Ｂに位置する受光部が画像担持体の同一位置から発せられた光を互いに重複検出するように、ラインセンサ１０Ａ、１０Ｂの長手方向が主走査方向（図中矢印Ｘ方向、以後、主走査Ｘ方向という）を向くように並べて構成したライン検出部２０と、ライン検出部２０に対して画像担持体である原稿３０を主走査Ｘ方向と直交する副走査方向（図中矢印Ｙ方向、以後、副走査Ｙ方向という）に移動させる副走査部４０と、ライン検出部２０に対して原稿３０を副走査Ｙ方向に移動させながら、原稿３０から発せられた光をライン検出部２０で検出して取得した画像データに基づいて、原稿３０が担持する画像情報の全体を表す１つの合成画像を示す画像データを作成する画像データ作成装置である画像データ作成部２００とを備えている。なお、ラインセンサ１０Ａとラインセンサ１０Ｂは、千鳥状に配置されている複数のラインセンサのうちの一部分であり、他のラインセンサも上記ラインセンサ１０Ａ、１０Ｂと同様の構成を持ち、同様に動作するものであるが、ここでは、説明の都合上、上記ラインセンサ１０Ａ、１０Ｂの構成および動作についてのみ説明する。
【００４２】
ライン検出部２０は、ラインセンサ１０Ａ、１０Ｂの他に、原稿３０上の主走査Ｘ方向に延びる線状の領域Ｓの像をラインセンサ１０Ａ、１０Ｂそれぞれの受光部上に結像させる屈折率分布型レンズ等からなる主走査Ｘ方向に延びる結像レンズ２１Ａ、２１Ｂと、結像レンズ２１Ａ、２１Ｂを通して伝播される光をラインセンサ１０Ａ、１０Ｂそれぞれの受光部で受光し検出した電気的な信号をデジタル値からなる画像データに変換するＡ／Ｄ変換器２３Ａ、２３Ｂとを備え、結像レンズ２１Ａが、原稿３０上の主走査Ｘ方向に延びる線状の領域Ｓの一部分である領域Ｓ１の像をラインセンサ１０Ａの受光部上に結像し、結像レンズ２１Ｂが、上記線状の領域Ｓの一部分であり、上記領域Ｓ１と一部分が重複する領域Ｓ２の像をラインセンサ１０Ｂの受光部上に結像する。
【００４３】
また、原稿３０は、主走査Ｘ方向に並べられた多数のＬＤ光源とこれらのＬＤ光源から射出された光を上記線状の領域Ｓに集光させるトーリックレンズとからなるライン光源６２によって照明され、このライン光源６２からの光の照明を受けて原稿３０上の主走査Ｘ方向に延びる線状の領域Ｓ１、Ｓ２で反射された光がラインセンサ１０Ａ、１０Ｂそれぞれの受光部上に結像される。
【００４４】
次に上記画像読取装置１００が画像データを取得する場合について説明する。
【００４５】
副走査部４０の駆動により原稿３０を副走査Ｙ方向に移動させながら、ライン光源６２で原稿３０を照明する。ライン光源６２からの光の照明を受けて原稿３０で反射された光は、結像レンズ２１Ａ、２１Ｂを通して、ラインセンサ１０Ａの受光部およびラインセンサ１０Ａの受光部に結像され受光される。上記互いに重複する受光部において、例えば、原稿３０上の線状の領域中の領域Ｓ１および領域Ｓ２に含まれる領域Ｐで反射された光が、結像レンズ２１Ａ、２１Ｂを通して、ラインセンサ１０Ａの端部１１Ａとラインセンサ１０Ｂの端部１１Ｂとに位置する各受光部にそれぞれ結像され受光される。
【００４６】
ラインセンサ１０Ａの受光部で受光され検出された電気的な信号はＡ／Ｄ変換器２３ＡでＡ／Ｄ変換され画像データ群Ａとして出力され画像データ作成装置２００に入力する。また、ラインセンサ１０Ｂの受光部で受光され検出された電気的な信号はＡ／Ｄ変換器２３ＢでＡ／Ｄ変換され画像データ群Ｂとして出力され画像データ作成装置２００に入力する。
【００４７】
画像データ作成装置２００に入力した同一領域（領域Ｐ）を共有する線状の画像部分のぞれぞれを示す画像データ群Ａと画像データ群Ｂとは、画像データ作成装置２００の画像メモリ１５０に記憶される。ここで、画像データ群Ａと画像データ群Ｂとは、原稿３０中の上記１ラインの領域が担持する画像情報を示す画像データからなるものである。画像データ作成装置２００は、上記画像データ群Ａと画像データ群Ｂを画像メモリ１５０から呼出して、上記すでに説明した手法と同様の手法により、各１ラインの領域毎の１つの合成画像を示す画像データを作成し、各１ラインの領域毎の１つの合成画像が副走査方向にさらに合成されるように上記１つの合成画像を示す画像データのそれぞれを合成して原稿３０全体を示す画像データを作成する。
【００４８】
なお、上記すでに説明した手法と同様の手法により、各１ラインの領域毎に求めた比例補正係数あるいは加算補正係数（以後、まとめて補正係数という）を使用し各１ラインの領域を示す画像データを補正して上記合成画像を作成すると、これらの１ラインの領域毎の合成画像を副走査方向に合成したときに、副走査方向における画像データの値の変動が大きくなりすぎることがある。そのため、上記各１ライン毎に求めた上記補正係数を、上記１ラインの領域毎の合成画像を合成する方向である副走査方向に移動平均して副走査方向において変動する上記補正係数の値に関する高周波成分を低減し、これにより上記補正係数の値の副走査方向における短い周期の変動を少なくした補正係数を得、このようにして得られた補正係数を使用して各１ラインの領域を示す画像データを補正し上記１つの合成画像を示す画像データを作成しすることが望まれる。
【００４９】
なお、上記実施の形態においては、同一領域を共有する２つの画像部分のそれぞれを示す各画像データ群を合成して１つの合成画像を示す画像データを作成する場合について説明したが、上記手法は同一領域を共有する３つ以上の画像部分のそれぞれを示す各画像データ群を合成して１つの合成画像を示す画像データを作成する場合にも適用することができる。この場合には、所定の２つ以上の各画像データ群中の同一領域を示す画像データの代表値をそれぞれ補正した値が、他の１つの画像データ群中のこの同一領域を示す画像データの代表値に一致するように、各所定の画像データ群毎に全画像データを一律に補正して得られた各画像データ群を合成して１つの合成画像を示す画像データを作成するようにする。
【図面の簡単な説明】
【００５０】
【図１】本発明の実施の形態の画像データ作成装置の概略構成を示すブロック図
【図２】同一領域を共有する複数の画像部分のそれぞれを示す各画像データ群を合成する様子を示す概念図
【図３】全体画像を３分割した各領域が同一領域を共有する複数の画像部分となる場合を示す図
【図４】５つの画像部分のそれぞれを示す各画像データ群を合成して１つの合成画像を示す画像データを作成する様子を示す概念図
【図５】画像データ群の画像データ値を示すヒストグラム
【図６】画像データ作成装置を搭載た画像読取装置の概略構成を示す斜視図
【符号の説明】
【００５１】
１１０    画像データ合成手段
１２０    代表値演算手段
１３０    補正手段
１５０    画像メモリ
２００    画像データ作成装置
【図１】
2005079816.tif 000003
【図２】
2005079816.tif 000004
【図３】
2005079816.tif 000005
【図４】
2005079816.tif 000006
【図５】
2005079816.tif 000007
【図６】
2005079816.tif 000008